(57)【要約】【課題】プロセス稼働中に流量係数の精度の確認と向上のためにキャリブレーション操作を自動調整できる衝撃式粉体流量計を提供する。【解決手段】衝撃式粉体流量計において、衝撃式粉体流量計の下部又は上部にフレキシブルジョイント１６を介して計重槽１９を設け、該重槽１９の排出口に配置された開閉式ゲート１８或いは排出供給機１２の排出動作を停止して、ａ）所定時間内の計重槽１９の重量変化を計測し、所定時間を使用して実流量Ｓを算出し、受信器１７に内蔵のソフトを使用し、表示流量Ｓｔを実流量Ｓと自動的に合致せしめること，又はｂ）所定時間内における計重槽１９の時間的増加傾向を微分することにより、実流量Ｓを算出し、同時に受信器１７の指示流量Ｓｔを、受信器１７に内蔵のソフトにより、自動的に実流量Ｓと合致せしめることを特徴とする。【選択図】図３
2018189379.tif 000002
【特許請求の範囲】
【請求項１】
衝撃式粉体流量計の下部又は上部にフレキシブルジョイント１６を介して計重槽１９を設け、該重槽１９の排出口に配置された開閉式ゲート１８或いは排出供給機１２の排出動作を停止して、所定時間内の計重槽１９の重量変化を計測し、所定時間を使用して実流量Ｓを算出し、受信器１７に内蔵のソフトを使用し、表示流量Ｓｔを実流量Ｓと自動的に合致せしめることを特徴とする衝撃式粉体流量計。
【請求項２】
衝撃式粉体流量計の下部又は上部にフレキシブルジョイント１６を介して計重槽１９を設け、該重槽１９の排出口に配置された開閉式ゲート１８或いは排出供給機１２の排出動作を停止して、所定時間内における計重槽１９の時間的増加傾向を微分することにより、実流量Ｓを算出し、同時に受信器１７の指示流量Ｓｔを、受信器１７に内蔵のソフトにより、自動的に実流量Ｓと合致せしめることを特徴とする衝撃式粉体流量計。
【請求項３】
請求項１に記載の衝撃式粉体流量計において、この衝撃式粉体流量計をＩｏＴシステムに接続し、キャリブレーション操作を遠隔地より実施できることを特徴とする衝撃式粉体流量計。
【請求項４】
請求項２に記載の衝撃式粉体流量計において、この衝撃式粉体流量計をＩｏＴシステムに接続し、キャリブレーション操作を遠隔地より実施できることを特徴とする衝撃式粉体流量計。
【発明の詳細な説明】
【技術分野】
【０００１】
本発明は、衝撃式粉体流量計に関し、特にこの衝撃式粉体流量計のプロセス中のキャリブレーション操作に関する。
【背景技術】
【０００２】
今日の衝撃式粉体流量計は、図１に示すように、所定の落下高さＨに配置されている、粉体の貯槽３の下部に設置された粉体供給機１から排出される粉体２が整流装置１４内を自然落下し、同流量計の発信器に斜設された検出板４に衝突して発生する衝撃荷重５の水平分力６が同粉体２の流量に比例するという原理を利用している。従って、同流量計の受信器１７が実際の粉体２の流量を表示するためには、上記の比例係数（流量係数）を下記に示すキャリブレーション操作により求める。さらに、受信器１７に手動によりその係数を手動により調整導入する必要がある。
【０００３】
そのために、通常は、図１に示すように、発信器の検出板４を経由した粉体２を所定時間、例えば１〜５分程度の計測時間Ｔ、ダンパー１８（図１では、開閉式ゲートである）を操作してサンプリングし、容器７に収納し、収納した粉体２の重量Ｗを計重し、同粉体２の実流量（Ｗ／Ｔ＝Ｓ）を計算により求め、水平分力６に対する実流量Ｓを求める。一方、同時に受信器１７に表示された同粉体２の指示流量Ｓｔが同一となるよう受信器１７のスパンを手動により調整する。必要に応じ、上記実流量チェックを数度繰り返して、その平均値を求め、スパンの調整を行っている。通常は、この操作を粉体２の流量の最大、常用、最小などの流量域において行っている。以上により手動による実流量チェックは、完了したことになる。この場合は、容器７に粉体２を収納するために、粉体２を係外に取り出す必要が生じる。その結果、作業工数が発生する。また、通常、粉体２は、整流装置１４、流路１５及びチェックゲート２１内を流下し、同係外とは隔離されているが、上記のサンプリングを行うためには、同粉体２をチェックゲート２１より係外に取り出す必要が生じる。その場合、粉体２がカーボンブラックのような微粉の場合、特に多量に発塵し、その発塵により環境を汚染すると同時に粉塵爆発の可能性という問題が生じる。また、同流量計が例えば、３００ｔ／ｈ程度の大型である場合は、１分間のサンプリングによる粉体２の重量は、最大５トンになり、容器７はダンプトラック数台になる。数分間のサンプリングを行う場合は、更に同トラックを増加する必要が発生する。その結果、諸経費は高額となり、作業工数が増大する。受信器１７は導線１８により衝撃式粉体流量計と接続されている。
【０００４】
これを改善のために、図２の方式が実用化されている。即ち、粉体供給機１と整流装置１４の間に、ロードセル計１１にて支持されたチェックビン１０と排出供給機１２及び移送装置１３を設け、キャリブレーション操作を自動化している。即ち、排出供給機１２の排出作動を停止し、貯槽３及び粉体供給機１を経由して排出された粉体２がチェックビン１０に所定量貯蔵されるのをロードセル計１１にて受信器１７が確認し、粉体供給機１の作動を停止する。キャリブレーション操作の開始と同時に排出供給機１２が排出作動を開始する。計測時間Ｔ経過後排出供給機１２の作動を停止し、排出した粉体２の実流量Ｓをロードセル計１１を介して受信器１７が算出する。同時に受信器１７が表示した指示流量Ｓｔと実流量Ｓを受信器１７が比較し、両値が同一となるよう受信器１７のスパンを自動調整することにより流量係数を自動調整する。この場合、実用上チェックビン１０は数分間排出した粉体２以上を貯留する容量が必要があり、その為の設置スペースが必要となる。その結果、装置費用増及び収納する建屋の大型化による設備投資費用増の問題を発生させる。同時に、上記１工程に要する作業工数は中断するなど、各種の問題が発生する。また、このキャリブレーション操作を、プロセス稼働中において、流量係数の精度確認と向上のために利用することが可能であるが、プロセスの稼働の中断時間が数分間に及ぶ点と、サンプリングした粉体２が多量過ぎてプロセス中に排出することが工程上問題となり、適用できないこともしばしば発生している。
【先行技術文献】
【特許文献】
【０００５】
【特許文献１】特許第３７５０１２５号明細書
【特許文献２】特開２０１６−２００４６８号公報
【発明の概要】
【発明が解決しようとする課題】
【０００６】
本発明は、先行技術における欠点を除去し、プロセスに本流量計を据付け後、運転に着手するスタート時点において流量係数を確認設定及び稼働中に流量係数の確認・修正設定とその結果の精度の向上を行うためにキャリブレーション操作を自動調整できる衝撃式粉体流量計を提供することである。
【０００７】
更に、本発明は、従来とおりの手順を完全に自動化して、設置スペースや設備費も少なく、サンプリングの諸経費や作業工数を増大することなく、更に粉体をプロセスラインより外部に取り出す必要がなく、その結果、発生する粉塵による環境汚染無く、表示流量と実流量を自動的に合致させて、流量の測定精度を向上させることができる衝撃式粉体流量計を提供することである。
【課題を解決するための手段】
【０００８】
上記した課題を解決するために、本発明は、衝撃式粉体流量計において、衝撃式粉体流量計の下部又は上部にフレキシブルジョイントを介して計重槽を設け、該重槽の排出口に配置された開閉式ゲート或いは排出供給機の排出供給機の排出動作を停止して、所定時間内の計重槽の重量変化を計測し、所定時間を使用して実流量を算出し、受信器に内蔵のソフトを使用し、表示流量を実流量と自動的に合致せしめることを特徴とする。
【０００９】
更に、本発明は、衝撃式粉体流量計において、衝撃式粉体流量計において、衝撃式粉体流量計の下部又は上部にフレキシブルジョイントを介して計重槽を設け、該重槽の排出口に配置された開閉式ゲート或いは排出供給機の排出供給機の排出動作を停止して、所定時間内における計重槽１９の時間的増加傾向を微分することにより、実流量Ｓを算出し、同時に受信器１７の指示流量Ｓｔを、受信器１７に内蔵のソフトにより、自動的に実流量Ｓと合致せしめることを特徴とする。
【００１０】
また、本発明は、上記二つの衝撃式粉体流量計において、衝撃式粉体流量計をＩｏＴシステムに接続し、キャリブレーション操作を遠隔地より実施できることを特徴とする。
【発明の効果】
【００１１】
本発明によると、衝撃式粉体流量計において、プロセスの運転に着手するスタート時点及びプロセスが稼働中に流量係数の確認・設定或いは精度確認と向上のためにキャリブレーション操作を自動調整できる。
【００１２】
本発明によると、衝撃式粉体流量計において、従来とおりの工程数で、設置スペースや設備費も少なく、サンプリングの諸経費や作業工数を増大することなしに、表示流量と実流量を自動的に合致させて、流量の測定が実体に合致することと、測定精度を向上させることができる。
【００１３】
本発明によると、これら衝撃式粉体流量計において、衝撃式粉体流量計をＩｏＴシステムに接続し、キャリブレーション操作を遠隔地より実施できる。
【図面の簡単な説明】
【００１４】
【図１】キャリブレーション操作を手動調整する先行技術の衝撃式粉体流量計を示す概略的に縦断面である。
【図２】キャリブレーション操作を自動調整する先行技術の衝撃式粉体流量計を示す概略的に縦断面である。
【図３】キャリブレーション操作により流量係数の自動調整を行う本発明の衝撃式粉体流量計を示す概略的に縦断面である。
【図４】計重槽を流路の上部に配置した本発明の衝撃式粉体流量計を示す概略的に縦断面である。
【図５】複数の回転検出板を装着した本発明の衝撃式粉体流量計を示す概略的に縦断面である。
【発明を実施するための形態】
【００１５】
以下に、本発明の実施の形態において、図３〜図５に基づいて、その態様について詳細に説明する。
【００１６】
図３の本発明の衝撃式粉体流量計では、流量係数の自動調整を次のように行う。流路１５の下部に配置したフレキシブルジョイント１６を介して、ロードセル計１１にて保持された計重槽１９を設置する。その下部には、開閉式ゲート１８を設置する。受信器１７のスタート信号により、開閉式ゲート１８は排出動作を停止し、計重槽１９の重量は時々刻々ロードセル計１１を介して受信器１７に表示される。受信器１７には、下記演算ソフトが収納されている。
【００１７】
受信器１７は、１）所定時間内、例えば１０秒間のロードセル計１１の重量変化、及び２）所定時間内の積算計９の指示重量変化を確認し、両重量変化が一致するよう、スパンを自動的に調整する。
【００１８】
又は、ロードセル計１１の指示値の所定時間内における時間的増加傾向を受信器１７に内蔵のソフトにより微分することにより、粉体２の実流量Ｓを確認し、同時に受信器１７の指示流量Ｓｔを自動的に確認し、両流量値が同一になるよう、受信器１７のスパンを自動的に調整する。ここにおいて、自動切換えにより積算計９が指示流量Ｓｔの指示計に成り得る。
【００１９】
上部所定時間は、粉体２の流量が脈動しない場合は、最短数秒程度とすることができる。粉体２の流量が脈動する場合は、最短数脈動に相当する時間とするが、実用上は排出供給機１２の排出特性によりその時間は変動する程度である。
【００２０】
また、図４に示すように、計重槽１９を流路１５の上部に配置することもできる。この場合は、粉体２の実流量は、計重槽１９の下部に配置した排出供給機１２に依存することになる。
【００２１】
本発明は、一枚の検出板を装着している従来型の衝撃式粉体流量計、特開２０１６−２００４６８号公報に相当する複数の斜設された板より構成された検出板を装着した多板型検出板を装着した衝撃式粉体流量計、及び図５に示す複数の回転検出板２０を装着した付着性粉体に適用できる衝撃式粉体流量計など各種の衝撃式粉体流量計に適用できる。
【００２２】
本発明の衝撃式粉体流量計は、粉体２の代わりに、スラリーの流量計測にも使用できる。
【００２３】
また、本発明の衝撃式粉体流量計をＩｏＴシステムに接続し、この流量計のキャリブレーションの遠隔操作による実施や流量係数の異常を遠隔地より確認する、などに活用し、ＩｏＴシステム関連による合理化、設備の改善と異常管理、或いはメンテナンス作業を促進することが可能である。
【符号の説明】
【００２４】
１．．．．供給機
２．．．．粉体
３．．．．貯槽
４．．．．検出板
５．．．．衝撃荷重
６．．．．水平分力
７．．．．容器
８．．．．導線
９．．．．積算計
１０．．．．チェックビン
１１．．．．ロードセル計
１２．．．．排出供給機
１３．．．．移送装置
１４．．．．整流装置
１５．．．．流路
１６．．．．フレキシブルジョイント
１７．．．．受信器
１８．．．．ダンパー或いは開閉式ゲート
１９．．．．計重槽
２０．．．．回転検出板
２１．．．．チェックゲート
【図１】
2018189379.tif 000003
【図２】
2018189379.tif 000004
【図３】
2018189379.tif 000005
【図４】
2018189379.tif 000006
【図５】
2018189379.tif 000007